(57)【特許請求の範囲】
【請求項１】
タッチ入力機能を有しかつ外形が矩形状のパネル部材と、前記パネル部材の長手方向に沿う縁部の少なくとも一部に配置されて前記パネル部材に対する押圧操作力を検出する圧力検出部とを備える圧力検出装置であって、
前記圧力検出部が、
対向配置されて、外部からの荷重を受ける第１基板及び第２基板と、
前記第１基板及び前記第２基板のいずれか一方に線状に対向配置された一対の電極と、
前記第１基板及び前記第２基板の他方に前記一対の電極を覆う状態で配置され、前記荷重によって電気特性が変化する導電性の感圧インクと、
前記第１基板と前記第２基板とを前記一対の電極と前記感圧インクとが接する状態に接着する接着部材と、
前記第１基板の外面及び前記第２基板の外面のうちの少なくとも何れか一方に設けられ、前記感圧インクに荷重を集中させて伝達する荷重伝達部材と、を備え、
前記荷重伝達部材が非弾性部材で構成されているとともに、
前記電極の延在方向に直交する面での断面における前記荷重伝達部材の幅が、前記感圧インクの幅以下に設定され、かつ、
前記荷重伝達部材が、その延在方向が前記パネル部材の長手方向に沿うように設けられた圧力検出装置。
【請求項２】
前記一対の電極を枠状に配置してある請求項１に記載の圧力検出装置。
【請求項３】
前記第１基板及び前記第２基板を枠状に形成してある請求項１又は２に記載の圧力検出装置。
【請求項４】
前記接着部材が、前記第１基板と前記第２基板とを引き付けて前記感圧インクに初期荷重を付与する請求項１から３のいずれか一項に記載の圧力検出装置。
【請求項５】
複数の前記荷重伝達部材が、前記電極の延在方向に沿って互いに離間して設けられている請求項１から４のいずれか一項に記載の圧力検出装置。
【請求項６】
前記荷重伝達部材が、前記第１基板あるいは前記第２基板の外面から遠ざかるほど断面積を小さく形成してある請求項１から５のいずれか一項に記載の圧力検出装置。
【請求項７】
請求項１から６のいずれか一項に記載の圧力検出装置を含む情報入力装置。
【発明の詳細な説明】
【技術分野】
【０００１】
本発明は、ユーザがパネル部材上を押圧操作することで情報入力を可能にした情報入力装置等に用いられる圧力検出装置、及び当該圧力検出装置を含む情報入力装置に関する。
【背景技術】
【０００２】
従来、押圧力を検出する押圧検出機能を有するものとして感圧センサが知られている（特許文献１参照）。特許文献１に記載の感圧センサは、電極、感圧インク層が順に積層されたプラスチックフィルム同士を、互いの感圧インク層を向かい合わせ、表裏面に接着層を有する絶縁層を介して接着したものである。
【０００３】
また、本出願人は、特許文献１の感圧センサを視認性が必要とされるタッチパネルに採用する際に、表示部の視認性の低下を抑制するようにした構成について出願を行っている（特願２００８−３３０２８８号、ＷＯ２０１０／０７４１１６号参照）。特願２００８−３３０２８８号（ＷＯ２０１０／０７４１１６号）に記載のタッチパネルの感圧センサは、上下方向に積層されている部分の構成は特許文献１と同じであるが、さらに、図１１に示すように、一対の電極２１ａ，２２ａがプラスチックフィルム２１Ａ，２２Ａの縁部に沿って枠状に配置され、２層の感圧インク２３ａ，２３ｂがプラスチックフィルム２１Ａ，２２Ａの縁部に沿って点在するよう構成されている。
【先行技術文献】
【特許文献】
【０００４】
【特許文献１】特開２００２−４８６５８号公報
【発明の概要】
【０００５】
図１１に示す感圧センサでは、一対の電極２１ａ，２２ａのうち、点在するセンサ部のみが感圧インク２３ａ，２３ｂで被覆されている。したがって、センサ部以外に位置する電極２１ａ、２１ｂは感圧インク２３ａ，２３ｂに被覆されていない。このため、センサ部以外に位置する電極２１ａと電極２２ａとが直接接触して通電したり、プラスチックフィルム２１Ａとプラスチックフィルム２２Ａの間に配置される接着層３０を介して電極２１ａと電極２２ａとが通電したりするおそれがあった。そこで、図１２に示すように、例えば、接着層３０の中間に絶縁材３０Ａを配置して、センサ部以外に位置する電極２１ａと電極２２ａとが通電しないようにしていた。
【０００６】
しかし、接着層３０の中間に絶縁材３０Ａが配置されていると、接着層３０は絶縁材３０Ａを粘着材３０Ｂで挟む３層構造になるため、感圧センサが厚くなりがちになる。接着層３０が厚くなると、センサ部への押圧操作が接着層３０そのものによって阻害されることとなり、センサ部の感度が低下する。
【０００７】
そこで、本発明は、押圧操作によるセンサ部の感度が良好な圧力検出装置及び情報入力装置を提供することを目的としている。
【０００８】
本発明に係る圧力検出装置の特徴構成は、
タッチ入力機能を有しかつ外形が矩形状のパネル部材と、前記パネル部材の長手方向に沿う縁部の少なくとも一部に配置されて前記パネル部材に対する押圧操作力を検出する圧力検出部とを備える圧力検出装置であって、
前記圧力検出部が、
対向配置されて、外部からの荷重を受ける第１基板及び第２基板と、
対向配置されて、外部からの荷重を受ける第１基板及び第２基板と、
前記第１基板及び前記第２基板のいずれか一方に線状に対向配置された一対の電極と、
前記第１基板及び前記第２基板の他方に前記一対の電極を覆う状態で配置され、前記荷重によって電気特性が変化する導電性の感圧インクと、
前記第１基板と前記第２基板とを前記一対の電極と前記感圧インクとが接する状態に接着する接着部材と、
前記第１基板の外面及び前記第２基板の外面のうちの少なくとも何れか一方に設けられ、前記感圧インクに荷重を集中させて伝達する荷重伝達部材と、を備え、
前記荷重伝達部材が非弾性部材で構成されているとともに、
前記電極の延在方向に直交する面での断面における前記荷重伝達部材の幅が、前記感圧インクの幅以下に設定され、かつ、
前記荷重伝達部材が、その延在方向が前記パネル部材の長手方向に沿うように設けられた点にある。
【０００９】
この構成により、第１基板及び第２基板のいずれか一方に線状に対向配置された一対の電極を覆う状態で、第１基板及び第２基板の他方に導電性の感圧インクが配置される。その結果、線状の電極及び感圧インクが配置された全域が線状の圧力検出部となって、圧力検出領域を広く確保できる。また、第１基板と前記第２基板とを一対の電極と感圧インクとが接する状態に接着する接着部材を備えるので、電極と感圧インクが常に接する状態となり押圧操作による圧力検出部の検出感度が向上する。
【００１０】
また、一対の電極を覆う状態で導電性の感圧インクが介在するので、一対の電極同士が直接接触して通電したり、接着部材を介して通電したりすることもない。このため、接着部材に絶縁層を設ける必要もなく、接着部材を接着層のみで構成することができる。さらに、接着部材の厚みを薄く設定することで、圧力検出部の厚みを薄くすることもできる。さらに、一対の電極が第１基板及び第２基板に振分けて線状に対向配置され、一対の電極間にこれら一対の電極の少なくとも一方を覆うように感圧インクが配置される構成と比較して、一対の電極が１層分に収まるので圧力検出部の厚さをさらに薄くできる。その結果、圧力検出装置のさらなる薄型化を図ることができる。
また、圧力検出部に外部からの荷重が加わったとき、荷重伝達部材が電極と感圧インクとを有する圧力検出部を支持して当該荷重を分散させることなく集中して受け取り、当該荷重を感圧インクに確実に伝達する。このように、感圧インクが確実に押圧されて、圧力検出部の押圧力の測定精度を向上させることができる。
また、圧力検出部が、第１基板及び第２基板のいずれか一方に線状に対向配置された一対の電極と、第１基板及び第２基板の他方に一対の電極を覆う状態で配置され、荷重によって電気特性が変化する導電性の感圧インクとを有するので、線状の電極及び感圧インクが配置された全域が線状の圧力検出部となって、圧力検出領域を広く確保できる。また、圧力検出部が荷重伝達部材を備えることで、感圧インクが確実に押圧されて、圧力検出部の押圧力の測定精度を向上させることができる。また、押圧力を受けたパネル部材は一般に長手方向に沿って撓み易いので、圧力検出部がパネル部材の長手方向に沿う縁部に配置されていると、一対の電極どうしの変位を検出し易くなり、圧力検出部ひいては圧力検出装置の検出感度が向上する。
【００１１】
１つの態様として、前記一対の電極を枠状に配置してあると好適である。
【００１２】
この構成により、一対の電極を枠状に配置するとともに、感圧インクも枠状に配置することとなるので、一対の電極と感圧インクとの位置合わせが容易となる。
【００１３】
１つの態様として、前記第１基板及び前記第２基板を枠状に形成してあると好適である。
【００１４】
この構成により、圧力検出部が枠状に構成される。これにより、枠状の基板で囲まれた内側部分に例えば表示部が配置されたとしても、圧力検出部が当該表示部の視認性に何ら影響を与えない。
【００１５】
１つの態様として、前記接着部材は、前記第１基板と前記第２基板とを引き付けて前記感圧インクに初期荷重を付与すると好適である。
【００１６】
このように、接着部材により第１基板と第２基板とが引き付けられて、感圧インクに予め荷重が付与されているので、初期の不安定な検出値が自動的に排除され、圧力検出部が軽荷重の押圧力を検出する場合であっても、押圧力の検出精度が向上する。また、このことは、荷重に対する検出値（抵抗値）の誤差範囲を極めて小さくすることにもなり、結果的として押圧力の測定精度を向上させることができる。
【００１７】
１つの態様として、複数の前記荷重伝達部材が、前記電極の延在方向に沿って互いに離間して設けられていると好適である。
【００１８】
【００１９】
１つの態様として、前記荷重伝達部材が、前記第１基板あるいは前記第２基板の外面から遠ざかるほど断面積を小さく形成してあると好適である。
【００２０】
この構成により、例えば、パネル部材の押圧操作の際にパネル部材の周縁部が上方にそるような場合であっても、荷重伝達部材と外部部材（例えばパネル部材等）との接触面積の変化（減少）が抑えられる。すなわち、荷重伝達部材が、電極と感圧インクとを有する圧力検出部と、圧力検出部を押圧する外部部材との姿勢変化をある程度許容することとなる。したがって、圧力検出部と外部部材との姿勢変化が小さい場合には、荷重伝達部材により外部からの荷重の圧力検出部以外への分散が抑えられる。
【００２１】
本発明は、上述した圧力検出装置を含む情報入力装置も権利の対象とすることができる。
【００２２】
【図面の簡単な説明】
【００２３】
【図１】圧力検出ユニットを配置した情報入力装置の斜視図
【図２】図１のＩＩ−ＩＩ断面図
【図３】圧力検出ユニットの情報入力装置における配置を示す図
【図４】図２の圧力検出ユニット近傍の拡大図
【図５】圧力検出ユニットの分解斜視図
【図６】バンプを備えた圧力検出ユニットを示す図
【図７】バンプを備えた圧力検出ユニットの動作状態を示す図
【図８】別実施形態の圧力検出ユニットの電極と感圧インクの配置を示す図
【図９】別実施形態の圧力検出ユニットの電極と感圧インクの配置を示す図
【図１０】別実施形態の圧力検出ユニットの電極と感圧インクの配置を示す図
【図１１】圧力検出ユニットの従来例を示す図
【図１２】図１１のＸＩＩ−ＸＩＩ断面図
【発明を実施するための形態】
【００２４】
以下、圧力検出ユニットの実施形態について、図面に基づいて説明する。
【００２５】
［実施形態１］
まず、圧力検出ユニット２０を装着する情報入力装置１の構成について、図１乃至図４に基づいて説明する。図１に示すように、情報入力装置１は、前面に開口部２Ａ等が形成された筐体２と、接触式の情報入力機能を備えたパネル部材４と、このパネル部材４に対する押圧操作力を検出するための圧力検出ユニット２０を含む圧力検出手段を備えている。なお、これらのうち、パネル部材４と圧力検出部２３とを含んで「圧力検出装置」が構成される。
【００２６】
圧力検出手段は、図４に示すように、パネル部材４と筐体２の支持部２ｂとに亘って設けられた圧力検出ユニット２０、及び、その圧力検出ユニット２０からの出力信号を処理する図示しない信号処理回路等から構成されている。パネル部材４として、例えばパネル部材４に対する利用者のタッチ操作に基づいて、その操作位置となるＸ−Ｙ座標を検知する所謂タッチ入力機能を備えるものを採用すれば、圧力の検出とＸ−Ｙ座標の検知を圧力検出ユニットのみで行うことができ、装置の利便性が高まる。タッチ入力機能を備えるものにおいては、抵抗膜方式、静電容量方式、及び電磁誘導方式などから選択できる。
【００２７】
次に、圧力検出ユニット２０の構成について説明する。図３は圧力検出ユニットの情報入力装置における配置を示す図であり、図４は図２の圧力検出ユニット近傍の拡大図であり、図５は圧力検出ユニットの分解斜視図である。
【００２８】
図３〜図５に示すように、情報入力装置１に用いられる圧力検出ユニット２０は、対向配置されて外部からの荷重を受ける枠状の第１基板２１及び第２基板２２を備えている。枠状の第１基板２１及び第２基板２２の内径は開口部２Ａの寸法に合わせ、外径は別途備えるＸＹ座標検出装置（図示せず）に合わせる。第１基板２１の第２基板２２との対向面には、線状の上部電極２１ａが枠状に配置されている。第２基板２２の第１基板２１との対向面には、線状の下部電極２２ａが上部電極２１ａと対向するように線状であって枠状に配置されている。すなわち、一対の電極２１ａ，２２ａが第１基板２１及び第２基板２２に振分けられて互いに線状に対向配置されている。
【００２９】
第１基板２１には、上部電極２１ａを覆うように枠状の上部感圧インク２３ａが配置されている。第２基板２２の場合も同様に、第２基板２２には、下部電極２２ａを覆い且つ上部感圧インク２３ａと対向するように枠状の下部感圧インク２３ｂが配置されている。この感圧インク２３ａ，２３ｂは、何れか一方のみを設けるだけでもよく、一対の電極２１ａ，２２ａの少なくとも一方を覆う状態に配置されていればよい。感圧インク２３ａ，２３ｂの第１基板２１又は第２基板２２に対する設置面積は一対の電極２１ａ，２２ａの一方の設置面積以上となる。電極部分は、感圧インクの印刷寸法より若干小さくなるように設計してある。しかし、一方の電極が対向する基板に配置された他方の電極に直接接触しないよう配慮してあるのであれば、電極部分と感圧インクの寸法サイズが同じでもよい。
【００３０】
すなわち、圧力検出部２３は、第１基板２１の上に形成される上部電極２１ａと、上部電極２１ａに対向して第２基板２２の上に形成される下部電極２２ａと、上部電極２１ａを覆う上部感圧インク２３ａと、上部感圧インク２３ａと対向するようにして下部電極２２ａを覆う下部感圧インク２３ｂとを有している。
【００３１】
第１基板２１と第２基板２２との対向領域であって、圧力検出部２３の周縁部に接着部材３０が配置されている。接着部材３０は、第１基板２１と第２基板２２とに挟まれた状態で設けられており、第１基板２１と第２基板２２とを引き付けて感圧インク２３ａ，２３ｂの側に付勢して初期荷重を付与するよう構成されていることが好ましい。このように構成すると、接着部材３０は、例えば、圧力検出部２３よりも厚みを薄くした非弾性のスペーサ（基板２１、２２との接着層を含む、接着剤単体でも可）であり、第１基板２１または第２基板２２の変形が許容される場合には、第１基板２１または第２基板２２により、初期荷重が付与された感圧インク２３ａ，２３ｂをさらに圧縮して押圧力を検出する。接着部材３０は、弾性を有する粘着性接着剤や両面粘着材であってもよいし、引張り力を発揮する状態に設定されているゴム、引っ張りコイルばね、板ばね等の各種の弾性部材（基板２１、２２との接着層を含む）であってもよい。尚、図４では圧力検出部２３と接着部材３０とが離間しているが、圧力検出部２３と接着部材３０とは一部接触していてもよい。また、接着部材３０は、必ずしも電極２１ａ，２１ｂ及び感圧インク２３ａ，２３ｂの両側部に設けられる必要はなく、電極２１ａ，２１ｂ及び感圧インク２３ａ，２３ｂの少なくとも一方の側部に設けられていればよい。
【００３２】
ここで、接着部材３０は、自由状態ではその厚みが圧力検出部２３の厚みより薄くなるように構成されていることが好ましい。このように構成すると、配置された接着部材３０には当初の厚みを保持しようとする力が働き、この力が第１基板２１と第２基板２２とを互いに近接させる方向に作用する。こうして、第１基板２１と第２基板２２との間の距離を狭め、圧力検出部２３の無加圧な状態における厚みを小さくすることで、結果的に感圧インク２３ａ，２３ｂに初期荷重を付与している。
【００３３】
以下、情報入力装置１に装着された圧力検出ユニット２０の動作について説明する。情報入力装置１の内部において、上部電極２１ａ及び下部電極２２ａはコネクタ（図示せず）に接続されており、コネクタは情報入力装置に内蔵された荷重検出部（図示せず）に接続されている。
【００３４】
パネル部材４が押圧操作された時の圧力検出ユニット２０の圧力検出部２３の上部感圧インク２３ａ及び下部感圧インク２３ｂにかかる抵抗の変化を検出する。この抵抗の変化の検出によって、感圧インク２３ａ，２３ｂに加えられる外力を検出することができ、パネル部材４への荷重を検出することができる。
【００３５】
このとき、圧力検出ユニット２０には第１基板２１と第２基板２２とを引き付ける接着部材３０が備えられているので、パネル部材４が押圧操作される前に、感圧インク２３ａ，２３ｂに初期荷重が付与されることとなる。これにより、検出値（抵抗値）のばらつきが大きい、無荷重から安定検出荷重までの荷重範囲が打ち消されるので、その後パネル部材４が押圧操作される際には圧力検出部２３が検出した値を、そのまま情報入力の制御に用いることができる。
【００３６】
第１基板２１及び第２基板２２は、例えばフィルム等であって、材質としては、フレキシブル基板に使用可能な材質、例えば、ポリエチレンテレフタレート、ポリスチレン系樹脂、ポリオレフィン系樹脂、ＡＢＳ樹脂、ＡＳ樹脂、アクリル系樹脂、ＡＮ樹脂などの汎用樹脂を挙げることができる。また、ポリスチレン系樹脂、ポリカーボネート系樹脂、ポリアセタール系樹脂、ポリカーボネート変性ポリフェニレンエーテル樹脂、ポリブチレンテレフタレート樹脂、超高分子量ポリエチレン樹脂などの汎用エンジニアリング樹脂や、ポリスルホン樹脂、ポリフェニレンサルファイド系樹脂、ポリフェニレンオキシド系樹脂、ポリアリレート樹脂、ポリエーテルイミド樹脂、ポリイミド樹脂、液晶ポリエステル樹脂、ポリアリル系耐熱樹脂などのスーパーエンジニアリング樹脂を用いることもできる。
【００３７】
上部電極２１ａ及び下部電極２２ａの材料としては、金、銀、銅、若しくはニッケルなどの金属、あるいはカーボンなどの導電性を有するペーストを用いることができる。これらの形成方法としては、スクリーン印刷、オフセット印刷、グラビア印刷、若しくはフレキソ印刷などの印刷法、フォトレジスト法などが挙げられる。また、上部電極２１ａ及び下部電極２２ａは、銅や金などの金属箔を貼り付けて形成することもできる。さらに、上部電極２１ａ及び下部電極２２ａは、銅などの金属をメッキしたＦＰＣの上にレジストで電極パターンを形成し、レジストで保護されていない部分の金属箔をエッチング処理することによって形成することもできる。電極はここに挙げた形成方法や材料を組み合わせたり積層したりしてもよい。
【００３８】
圧力検出部２３の上部感圧インク２３ａ及び下部感圧インク２３ｂを構成する組成物は、外力に応じて電気抵抗値などの電気特性が変化する素材で構成されている。組成物としては、例えば、英国のＰｅｒａｔｅｃｈ社製の量子トンネル現象複合材料（商品名「ＱＴＣ」）を用いることができる。上部感圧インク２３ａ及び下部感圧インク２３ｂは、塗布により第１基板２１及び第２基板２２に配置することができる。上部感圧インク２３ａ及び下部感圧インク２３ｂの塗布方法としては、スクリーン印刷、オフセット印刷、グラビア印刷、又はフレキソ印刷などの印刷法を用いることができる。感圧インクは第１基板２１あるいは第２基板２２のいずれか片面だけに塗布してもよい。
【００３９】
圧力検出ユニット２０は、情報入力装置１のパネル部材４の下面に、例えば糊等の接着剤、両面粘着テープ等の粘着層によって貼着され、パネル部材４の周縁部４Ａの加飾部に隠蔽されるように枠状に配置されている。したがって、圧力検出ユニット２０を構成する各部材は、透明な材質で構成されることに限定されず、有色の材質で構成されていてもよい。また、圧力検出ユニット２０を支持部２ｂの上に前記粘着層を用いて貼着するようにして、開口部２Ａに配置してもよい。
【００４０】
〔実施形態２〕
図５及び図６に示すように、第２基板２２の外面に荷重伝達部材２４としてバンプ２４ａを配置してもよい。バンプ２４ａの設置面積は、圧力検出部２３の第２基板２２との接触面積以下になるよう形成されている。圧力検出部２３に外部からの荷重が加わったとき、バンプ２４ａが下部感圧インク２３ｂを下方から支持し、当該荷重を集中して下部感圧インク２３ｂに伝達する（図７）。バンプ２４ａの構成として、熱硬化性樹脂や紫外線硬化性樹脂を印刷や塗布などで配置して硬化させたもの、圧力検出部に寸法を合わせて裁断し貼合したフィルムや樹脂板、ＰＥフォームやウレタンフォームなどの発泡体などがある。バンプ２４ａは第１基板２１の外面に設けられていてもよいし、第１基板２１及び第２基板２２の外面の両方に設けられていてもよい。ここで、バンプ２４ａの高さ寸法は、例えば５０μｍ〜２００μｍ（第２基板２２に接着するための接着層の厚みを含む）である。バンプ２４ａは、感圧インク２３ａ，２３ｂが配置されている位置の裏面側（直下）に配置されていることが好ましい。こうすると、上部感圧インク２３ａと下部感圧インク２３ｂとを互いに確実に押し付けることができ、圧力検出ユニット２０の圧力の測定精度を向上させることができる。
【００４１】
〔実施形態３〕
バンプ２４ａは、図６及び図７に示すように、設置された第２基板２２の外面から遠ざかるほど断面積が小さくなるよう形成されている方が好ましい。こうすると、感圧インク２３ａ，２３ｂと、感圧インク２３ａ，２３ｂを押圧する外部部材（例えばパネル部材等）との姿勢変化をある程度許容する。したがって、感圧インク２３ａ，２３ｂと外部部材との姿勢変化が小さい場合には、バンプ２４ａにより外部からの荷重の感圧インク２３ａ，２３ｂ以外への分散が抑えられる。なお、バンプ２４ａは非弾性部材、弾性部材のいずれであってもよい。
【００４２】
［別実施形態］
（１）上記の実施形態では、圧力検出ユニット２０について説明したが、パネル部材４に圧力検出部２３を配置して圧力検出装置として構成してもよい。この場合、圧力検出部２３の一対の電極２１ａ，２２ａは、必ずしも枠状に限定されない。例えば、図８に示すように、線状の電極２１ａ，２２ａをパネル部材４の縁部のうち長手方向に対応する部分に配置してもよいし、図９に示すように、線状の電極２１ａ，２２ａをパネル部材４の対角線上の角部を含むように「Ｌ」字状に配置してもよい。
【００４３】
このように、一対の電極２１ａ，２１ｂがパネル部材４の長手方向の対向する部分に配置してあると、電極２１ａ，２１ｂを覆う感圧インク２３ａ，２３ｂもパネル部材４の長手方向の対向する部分に配置されることとなる。パネル部材は一般に長手方向に沿って撓み易いため、このように、圧力検出部２３がパネル部材４の長手方向の対向する部分に配置されることで、パネル部材４に対して圧力検出部２３の設置領域を広く確保できる。
【００４４】
また、圧力検出部２３が平面視においてパネル部材４の対称位置に配置された場合、パネル部材４の押圧領域と、圧力検出部２３によって囲まれる圧力検出領域とを一致させ易くなる。このため、パネル部材４の周縁部の全てに圧力検出部２３が配置されていなくても、パネル部材４のほぼ全域の押圧力を検出することが可能となる。
【００４５】
（２）上記の実施形態では、第１基板２１と第２基板２２との間に配置された一対の電極２１ａ，２２ａと、当該一対の電極間に感圧インク２３ａ，２３ｂを配置した圧力検出部２３を用いて説明したが、圧力検出部２３は、図１０に示すように、第１基板２１あるいは第２基板２２の何れか一方に配置された一対の電極と、前記第１基板２１あるいは前記第２基板２２の他方に当該一対の電極を覆うように感圧インク２３ａ，２３ｂを配置する構成であってもよい。こうすると、電極層が１層になるので圧力検出部２３の厚さがさらに薄くなり、結果として圧力検出ユニット２０の薄肉化を図ることができる。この場合、一対の電極を櫛歯状、渦巻状等に形成して感圧インクとの接触面積を制御することで、望ましい検出範囲の信号を得る事ができる。
【００４６】
（３）上記の実施形態では、感圧インクとして、２層の上部感圧インク２３ａ及び下部感圧インク２３ｂから構成されたものを用いて説明したが、感圧インクの構成は押圧力を検出できるものであれば特に限定されず、感圧インクを１層にしてもよい。
【産業上の利用可能性】
【００４７】
圧力検出ユニット及び圧力検出装置は、携帯電話機、スマートフォン、ＰＤＡ、カーナビゲーション装置、デジタルカメラ、デジタルビデオカメラ、遊技機、及び、タブレット等の電子機器に有効利用され、電子機器の多機能化及び操作性の向上を図るために利用できる。
【符号の説明】
【００４８】
４        ：パネル部材
２０      ：圧力検出ユニット
２１      ：第１基板
２１ａ    ：上部電極（電極）
２２      ：第２基板
２２ａ    ：下部電極（電極）
２３      ：圧力検出部
２３ａ    ：上部感圧インク（感圧インク）
２３ｂ    ：下部感圧インク（感圧インク）
２４      ：荷重伝達部材
３０      ：接着部材
【図１】
0005885865.tif 000002
【図２】
0005885865.tif 000003
【図３】
0005885865.tif 000004
【図４】
0005885865.tif 000005
【図５】
0005885865.tif 000006
【図６】
0005885865.tif 000007
【図７】
0005885865.tif 000008
【図８】
0005885865.tif 000009
【図９】
0005885865.tif 000010
【図１０】
0005885865.tif 000011
【図１１】
0005885865.tif 000012
【図１２】
0005885865.tif 000013